(57)【要約】【課題】従前は、干した衣類を取り外す際にハンガーの肩の部分をひとつひとつ折畳まなければならないので、作業性に乏しく衣類を取り込む際に手間がかかっていた。【解決手段】本発明の連式ハンガーは、主枠と、主枠にその長手方向に間隔を空けて設けられ、各々が、衣類を掛ける一対のバー１１Ａ，１１Ｂと、バー１１Ａ，１１Ｂをそれらの基端を介して揺動可能に支持する基部と、バー１１Ａ，１１Ｂの先端どうしを相互に離間させたときにそれらバーの基端を係止してバーの先端どうしが相互に離間した状態を維持する係止部とを有する複数のハンガー部と、ハンガー部の各々の係止部を同期して作動させてバー１１Ａ，１１Ｂの基端の係止を解除し、それによってバー１１Ａ，１１Ｂの先端どうしが相互に離間した状態を一斉に解消する作動部と、主枠１を介して複数のハンガー部１０を吊り下げるためのフックとを備える。【選択図】図２
2017184786.tif 000002
【特許請求の範囲】
【請求項１】
主枠と、
前記主枠に該主枠の長手方向に間隔を空けて設けられ、各々が、衣類を掛ける一対のバーと、前記一対のバーをそれらの基端を介して揺動可能に支持する基部と、前記基部に設けられ、前記一対のバーの先端どうしを相互に離間させたときに該バーの基端を係止して前記一対のバーの先端どうしが相互に離間した状態を維持する係止部とを有する複数のハンガー部と、
前記主枠に設けられ、前記複数のハンガー部の各々の係止部を同期して作動させて前記一対のバーの基端の係止を解除し、それによって前記一対のバーの先端どうしが相互に離間した状態を一斉に解消する作動部と、
前記主枠に設けられ、該主枠を介して前記複数のハンガー部を吊り下げるためのフックと
を備えることを特徴とする連式ハンガー。
【請求項２】
前記係止部は、前記一対のバーの各々に対応し、前記バーの基端の係止及びその解除を行う一対のロッカーアームを有し、
前記作動部は、前記主枠の長手方向に配置されるとともに前記長手方向の軸まわりに回転可能に支持され、前記一対のロッカーアームに接し、前記長手方向の軸まわりに回転させることで前記一対のロッカーアームを変位させて前記一対のバーの基端の係止を解除するカム部材を有する前記バーの基端の係止を解除する請求項１に記載の連式ハンガー。
【請求項３】
前記カム部材の断面は、長径と短径とを有する非円形であって、
前記カム部材を、該カム部材の楕円断面の長径方向が、前記一対のロッカーアームどうしが離間する方向と一致するまで回転させることにより、前記一対のロッカーアームが変位し、前記ロッカーアームによる前記バーの基端の係止が解除される請求項２に記載の連式ハンガー。
【請求項４】
前記係止部は、前記一対のロッカーアームを支持する連結部を有し、
前記連結部は弾性変形可能であって、
前記カム部材を回転させず、前記一対のロッカーアームどうしが離間する方向に前記カム部材の楕円断面の短径方向を一致させた状態を維持したままで、前記連結部を弾性変形させることにより、前記ロッカーアームによる前記バーの基端の係止が解除される請求項２又は３に記載の連式ハンガー。
【発明の詳細な説明】
【技術分野】
【０００１】
本発明は、複数のハンガー部を備え、これらハンガー部に掛けられた衣類を簡単に取り外すことを可能にする連式ハンガーに関する。
【背景技術】
【０００２】
洗濯したＴシャツやワイシャツなどの衣類を干す日用品として、主枠に取り付けられた複数のハンガーに衣類を掛け、同じく主枠に取り付けられたフックを物干し棒などの被吊下げ物に引っ掛けて使用するものがある。
【０００３】
上記のような多連式のハンガーには、衣類（上着）の肩の部分を掛ける部分を折り畳むことを可能にして、衣類の離脱性を向上させたものや、未使用時のかさばりを解消し収納のし易さを向上させたものが存在する。
例えば、下記の特許文献１には、衣類の肩の部分を掛ける一対の支持杵が水平位置に仮固定可能であって、一対の支持杵を支持する基部に二股の解除駒が配設されており、その解除駒の一対の先端部を支持杵の基端部に掛合させることにより支持杵を水平位置に仮固定することができる折り畳み式ハンガーが記載されている。この折り畳み式ハンガーでは、解除駒を操作して支持杵の基端部を解除駒の先端部から解放すると、一対の支持杵が自重や干した衣類の重さによって先端どうしを接近させるように垂れ下がるので、衣類をハンガーから支障なく取り外せるようになり、衣類の離脱性が向上する。
【０００４】
例えば、下記の特許文献２には、上端部を連結片に回動自在に軸支された一対の杵体と、該杵体の下端に外端部を固定されるとともに内端部を相互に連結された一対の底杵とでハンガーを構成した折畳みハンガーが記載されている。この折畳みハンガーは、一対の底杵の連結部分を押し上げると、一対の杵体が先端どうしを接近させるように垂れ下がるので、未使用時にはハンガーの肩の部分のかさばりを解消することができ、収納のし易さが向上する。また、この折畳みハンガーによれば、干した衣類を取り外す際に肩の部分を折畳めば、衣類の離脱性も向上すると考えられる。
【先行技術文献】
【特許文献】
【０００５】
【特許文献１】日本特許第５２４８６８８号公報
【特許文献２】特願２０１３−１４１４７９号公報
【発明の概要】
【発明が解決しようとする課題】
【０００６】
上記のような連式ハンガーにおいては、個々のハンガーからの衣類の離脱性を向上させたとはいえ、干した衣類を取り外す際、ハンガーの肩の部分をひとつひとつ折畳まなければならないので、作業性に乏しく衣類を取り込む際に手間がかかる。
【０００７】
本発明は上記の事情に鑑みてなされたものであり、干した衣類を取り外す際の作業性に優れ、洗濯物を取り込む際の手間を省くことができる連式ハンガーを提供することを目的とする。
【課題を解決するための手段】
【０００８】
本発明に係る連式ハンガーの第一の態様は以下の構成を有する。すなわち、
（１）主枠、
（２）前記主枠に該主枠の長手方向に間隔を空けて設けられ、各々が、衣類を掛ける一対のバーと、前記一対のバーをそれらの基端を介して揺動可能に支持する基部と、前記基部に設けられ、前記一対のバーの先端どうしを相互に離間させたときに該バーの基端を係止して前記一対のバーの先端どうしが相互に離間した状態を維持する係止部とを有する複数のハンガー部、
（３）前記主枠に設けられ、前記複数のハンガー部の各々の係止部を同期して作動させて前記一対のバーの基端の係止を解除し、それによって前記一対のバーの先端どうしが相互に離間した状態を一斉に解消する作動部、及び
（４）前記主枠に設けられ、該主枠を介して前記複数のハンガー部を吊り下げるためのフック。
【０００９】
上記第一の態様によれば、複数のハンガー部の各々において、一対のバーの先端どうしを相互に離間させると、係止部がバーの基端を係止して、一対のバーに衣類を掛けることができる状態、すなわちハンガーとして使用できる状態を維持する。この状態から、ユーザが作動部を操作して各々のハンガー部の係止部を同期して作動させて一対のバーの基端の係止を解除すると、それらバーの基端の拘束が解け、自重（及びバーに掛けた衣類の重量）が作用してバーの先端がそれぞれ下を向き、一対のバーの先端どうしが相互に離間した状態が、すべてのハンガー部において一斉に解消される。
複数のハンガー部の各々に衣類を掛けて干し、それらが乾いて取り込めるようになった状態で、ユーザが作動部を操作して複数のハンガー部の各々に上記のような一連の動作を行わせることで、各々のハンガー部に掛けた衣類が、先端を下に向けた一対のバーからすべり落ちる。そこで、連式ハンガーの下にカゴなど置いておけば、ハンガー部をひとつひとつ折り畳む手間もなく、衣類を一度にカゴの中に入れることができる。
【００１０】
本発明に係る連式ハンガーの第二の態様は、上記第一の態様において、前記係止部が、前記一対のバーの各々に対応し、前記バーの基端の係止及びその解除を行う一対のロッカーアームを有し、さらに前記作動部が、前記主枠の長手方向に配置されるとともに前記長手方向の軸まわりに回動可能に支持され、前記一対のロッカーアームに接し、前記長手方向の軸まわりに回転させることで前記一対のロッカーアームを変位させて前記一対のバーの基端の係止を解除するカム部材を有していてもよい。
【００１１】
上記第二の態様によれば、カム部材を主枠の長手方向の軸まわり回転させると、複数のハンガー部の各々の係止部において一対のロッカーアームが変位する。これにより、ロッカーアームによるバーの基端の係止が解除される。
【００１２】
本発明に係る連式ハンガーの第三の態様は、上記第二の態様において、前記カム部材の断面が、長径と短径とを有する非円形（例えば楕円形）であってもよい。
【００１３】
上記第三の態様によれば、カム部材を、該カム部材の楕円断面の長径方向が、一対のロッカーアームどうしが離間する方向と一致するまで回転させることにより、一対のロッカーアームが変位し、ロッカーアームによるバーの基端の係止が解除される。
【００１４】
本発明に係る連式ハンガーの第四の態様は、上記第二又は第三の態様において、前記係止部が、前記一対のロッカーアームを支持する連結部を有し、さらに前記連結部が弾性変形可能であってもよい。
【００１５】
上記第四の態様によれば、カム部材を回動させず、一対のロッカーアームどうしが離間する方向にカム部材の楕円断面の短径方向を一致させた状態を維持したままで、（例えばユーザが手を使って）連結部を弾性変形させることにより、ロッカーアームによるバーの基端の係止が解除される。
【発明の効果】
【００１６】
本発明に係る連式ハンガーによれば、干した衣類を取り外す際の作業性に優れるので、洗濯物を取り込む際の手間を省くことができる。また、未使用時に上記の操作を行えば、ハンガーの肩の部分のかさばりを解消することができ、連式ハンガーそのものの収納のし易さが向上する。
【図面の簡単な説明】
【００１７】
【図１】本発明の連式ハンガーのある実施形態を示す斜視図である。
【図２】図１に示した連式ハンガーを構成するハンガー部の要部を断面視した図である。
【図３】図１に示した連式ハンガーを構成するハンガー部のひとつを作動させ、一対のバーを折畳んだ場合の斜視図である。
【図４】図１に示した連式ハンガーを収納する場合の形態を示す斜視図である。
【発明を実施するための形態】
【００１８】
本発明に係る連式ハンガーの一実施形態を、図を参照して具体的に説明する。
図１に示すように、この連式ハンガーは、主枠１と、主枠１に設けられた複数のハンガー部１０と、作動部３０と、のキャッチフック５０とを備えている。
主枠１は、平行な２本の棒状部材２と、棒状部材２の両方の端部にそれぞれ配置され、棒状部材２どうしの平行を維持した状態で双方を連結する連結部材４Ａ，４Ｂとからなる。
複数のハンガー部１０は、主枠１の長手方向に等しい間隔を空けて取り付けられており、各々が一対のバー１１Ａ，１１Ｂと、基部１２と、係止部１３とを有している。一対のバー１１Ａ，１１Ｂは、それらの先端どうしが相互に離間した状態とされたときに衣類を掛けるハンガーの肩の部分をなす。
【００１９】
基部１２は、一対のバー１１Ａ，１１Ｂの基端を軸２１Ａ，２１Ｂを介して揺動可能に支持し、かつそれら一対のバーの基端を係止する係止部１３を収めるケース状の部材である。基部１２の上部には、上方に突き出した一対のサポート片１２Ａ，１２Ｂが形成されており、これらが２本の棒状部材２にそれぞれ連結されている。２本の棒状部材２には、サポート片１２Ａ，１２Ｂを軸支する連結部材２Ａ，２Ｂが取り付けられており、基部１２は連結部材２Ａ，２Ｂを介して主枠１の幅方向に平行な軸を中心として、主枠１に対し揺動可能に吊り下げられている
【００２０】
図２に示すように、係止部１３は、基部１２の内側に配設けられ、一対のバー１１Ａ，１１Ｂの先端どうしを相互に離間させたときにそれらの基端を係止してバーの先端どうしが相互に離間した状態、すなわち一対のバー１１Ａ，１１Ｂに衣類を掛けることができる状態を維持する。
係止部１３は、一対のバー１１Ａ，１１Ｂに対応する一対のロッカーアーム１４Ａ，１４Ｂと、中央部１４Ｃと、中央部１４Ｃとロッカーアーム１４Ａ，１４Ｂとを連結する連結部１４Ｄとを有している。ロッカーアーム１４Ａ，１４Ｂ、中央部１４Ｃ及び連結部１４Ｄは弾性変形可能な樹脂材料により一体成形されている。また、ロッカーアーム１４Ａ，１４Ｂの中央部には、外側に突き出す第一の小突起１５Ａ，１５Ｂがそれぞれ形成されている。連結部１４Ｄはロッカーアームのほぼ中央を中央部１４Ｃと繋いており、ロッカーアーム１４Ａ，１４Ｂを後述するようにレバーの要領で操作する際の支点となる。第一の小突起１５Ａ，１５Ｂは基部１２の側壁内面に形成された第二の小突起１９Ａ，１９Ｂにそれぞれ接している。
【００２１】
一方のロッカーアーム１４Ａの下端外側には、凹部１６Ａが形成され、ロッカーアーム１４Ａと対応するバー１１Ａの基端には突起部１７Ａが形成されている。また、他方のロッカーアーム１４Ｂの下端外側には凹部１６Ｂが形成され、ロッカーアーム１４Ｂと対応するバー１１Ｂの基端には突起部１７Ｂが形成されている。突起部１７Ａは、一対のバー１１Ａ，１１Ｂの先端どうしが相互に離間した状態において凹部１６Ａに係合する位置にあり、同様に突起部１７Ｂは凹部１６Ｂに係合する位置にある。
【００２２】
さらに、一方のロッカーアーム１４Ａの下端外側、かつ突起部１７Ａよりもロッカーアーム１４Ａの先端寄りには、第三の小突起２０Ａが形成され、小突起２０Ａの近傍には、ロッカーアーム１４Ａの下端を貫通する小孔２２Ａが形成されている。他方のロッカーアーム１４Ｂの下端外側、かつ突起部１７Ｂよりもロッカーアーム１４Ｂの先端寄りには、第三の小突起２０Ｂが形成され、小突起２０Ｂの近傍には、ロッカーアーム１４Ｂの下端を貫通する小孔２２Ｂが形成されている。第三の小突起２０Ａ，２０Ｂは、バー１１Ａ，１１Ｂの先端がそれぞれ下を向いたときに基部１２の側壁下端と干渉し、凹部１６Ａ，１６Ｂから突起部１７Ａ，１７Ｂを解放された一対のバー１１Ａ，１１Ｂが自由に揺動するのを抑制する。
小孔２２Ａ，２２Ｂは、第三の小突起２０Ａ，２０Ｂが基部の側壁下端と干渉するとき、バー１１Ａ，１１Ｂの基端に対して第三の小突起２０Ａ，２０Ｂの若干の変位を許容し、基部１２の側壁下端との干渉を滑らかにして小突起２０Ａ，２０Ｂや基部１２の側壁下端の欠損や摩耗を抑制する働きをする。
【００２３】
作動部３０は、複数のハンガー部１０の各々の係止部１３を同期して作動させて一対のバー１１Ａ，１１Ｂの基端の係止を解除し、それらの先端どうしが相互に離間した状態を一斉に解消する。
作動部３０は、主枠１の長手方向に配置された２本のカム部材３１Ａ，３１Ｂを有している。一方のカム部材３１Ａは、その両端を主枠１を構成する連結部材４Ａと、後述する連結部材３とに回転可能に支持されており、カム部材３１Ａの一端にはツマミ３２Ａが取り付けられている。他方のカム部材３１Ｂも同様に、その両端を連結部材４Ａと連結部材３とに回転可能に支持されており、カム部材３１Ｂの一端にはツマミ３２Ｂが取り付けられている。ユーザはこれらツマミ３２Ａ，３２Ｂを回すことでカム部材３１Ａ，３１Ｂを主枠１の長手方向の軸まわりに回転させることが可能である。
【００２４】
カム部材３１Ａ，３１Ｂの断面は楕円形を成している。また、ロッカーアーム１４Ａ，１４Ｂの上端どうしの間隔は、これらロッカーアームの下端どうしの間隔よりも狭くされており、カム部材３１Ａ，３１Ｂはその周面をロッカーアーム１４Ａ，１４Ｂの各々の上端に接している。なお、カム部材３１Ａ，３１Ｂの断面は楕円形に限らず長径と短径とを有する非円形、例えば長方形であってもよい。
【００２５】
一対のバー１１Ａ，１１Ｂの基端が系止部に係止され、それらバーの先端どうしが相互に離間した状態のとき、ロッカーアーム１４Ａに形成された第一の小突起１５Ａは、基部１２の一方の側壁内面に形成された第二の小突起１９Ａに下方から接している。同様に、ロッカーアーム１４Ｂに形成された第一の小突起１５Ｂは、基部１２の他方の側壁内面に形成された第二の小突起１９Ｂに下方から接している。バー１１Ａ，１１Ｂの先端どうしが相互に離間した状態では、バー１１Ａにおいて、軸２１Ａからバー１１Ａの先端までの長さが、軸２１Ａからバー１１Ａの下端までの長さよりも大幅に長いので、突起部１７Ａを係合される凹部１６Ａ、すなわち凹部１６Ａを形成されたロッカーアーム１４Ａに対して、てこの原理で上向きに強い力が作用する。このような力が作用するのはバー１１Ｂにおいても同様であり、バー１１Ａ，１１Ｂに湿った衣類が掛けられるとその力はさらに増加してロッカーアーム１４Ａ，１４Ｂを上に変位させようとするが、第一の小突起１５Ａ，１５Ｂが第二の小突起１９Ａ，１９Ｂにそれぞれ接し、ロッカーアーム１４Ａ，１４Ｂの上方への変位を抑制する。
【００２６】
一対のバー１１Ａ，１１Ｂの先端どうしが相互に離間した状態から、ツマミ３２Ａ（又は３２Ｂ）を回してカム部材３１Ａ（又は３１Ｂ）を回転させ、その断面の長径を横方向、すなわちロッカーアーム１４Ａ，１４Ｂの上端どうしが離間する方向に一致させると、連結部１４Ｄが反るように弾性変形しつつロッカーアーム１４Ａ，１４Ｂの上端どうしがさらに離間する。これに伴い、ロッカーアーム１４Ａ，１４Ｂの下端がそれぞれレバーの要領で連結部１４Ｄを支点として内側に変位し、突起部１７Ａ，１７Ｂが凹部１６Ａ，１６Ｂからそれぞれ解放され、ロッカーアーム１４Ａ，１４Ｂによるバー１１Ａ，１１Ｂの基端の係止が解除される。
【００２７】
一対のバー１１Ａ，１１Ｂの基端の係止が解除されると、それらバーの基端の拘束が解け、自重（及びバーに掛けた衣類の重量）が作用してバー１１Ａ，１１Ｂの先端がそれぞれ下を向き、それらバーの先端どうしが相互に離間した状態が、カム部材３１Ａの動きに関与するすべてのハンガー部１０（図１において右手前に並ぶ４つのハンガー部）において一斉に解消され、バー１１Ａ，１１Ｂが折り畳まれる。
ツマミ３２Ａを逆に回してカム部材３１Ａを回転させ、その断面の短径を横方向に一致させると、弾性変形した連結部１４Ｄが元の形状に戻る際の復元力に依存してロッカーアーム１４Ａ，１４Ｂの上端どうしが相互に接近して元の位置に戻り、それらロッカーアームの下端もそれぞれ外側に変位して元の位置に戻る。
ツマミ３２Ａを逆に回す操作を行っても、バー１１Ａ，１１Ｂの先端はそれぞれ下を向いて折畳まれた状態のままなので、ハンガー部１０に衣類を掛けようとする場合は、個々のハンガー部１０において一対のバー１１Ａ，１１Ｂをそれぞれ操作し、それらバーの先端どうしが相互に離間した状態とする。具体的には、バー１１Ａの先端をもち、基端を中心に上方に回動させると、突起部１７Ａが凹部１６Ａに係合する。同様に、バー１１Ｂの先端をもち、基端を中心に上方に回動させると、突起部１７Ｂが凹部１６Ｂに係合する。このようにバー１１Ａ，１１Ｂをそれぞれ操作すると、それらバーの先端どうしが相互に離間した状態に戻る。なお、ツマミ３２Ｂを回した場合も同様であり、その場合は図１において左奥に並ぶ４つのハンガー部１０が上記のように作動する。
【００２８】
ロッカーアーム１４Ａ，１４Ｂのそれぞれの下端には、さらに下方に突き出す舌片１８Ａ，１８Ｂが形成されている。舌片１８Ａ，１８Ｂは複数のハンガー部１０を個別に操作する場合に使用される。すなわち、舌片１８Ａ，１８Ｂを親指と人差し指とで挟むようにもち、双方を近づけるように操作すると、連結部１４Ｄが反るように弾性変形しつつロッカーアーム１４Ａ，１４Ｂの下端がそれぞれレバーの要領で連結部１４Ｄを支点として内側に変位し、突起部１７Ａ，１７Ｂが凹部１６Ａ，１６Ｂからそれぞれ解放され、ロッカーアーム１４Ａ，１４Ｂによるバー１１Ａ，１１Ｂの基端の係止が解除される。これにより、ツマミ３２Ａ，３２Ｂを操作した場合と同様に、個々のハンガー部１０において一対のバー１１Ａ，１１Ｂの先端どうしが相互に離間した状態が解消される。
舌片１８Ａ，１８Ｂから親指と人差し指とを離すと、弾性変形した連結部１４Ｄが元の形状に戻る際の復元力に依存してロッカーアーム１４Ａ，１４Ｂの下端どうしが相互に外側に変位して元の位置に戻る。この場合も、バー１１Ａ，１１Ｂの先端はそれぞれ下を向いて折畳まれた状態のままなので、ハンガー部１０に衣類を掛けようとする場合は、ツマミ３２Ａ，３２Ｂを逆に操作した場合と同様に、バー１１Ａ，１１Ｂをそれぞれ操作して先端どうしが相互に離間した状態に戻す。
【００２９】
キャッチフック５０は、主枠１の上側中央に取り付けられ、主枠１を介して複数のハンガー部１０を物干し棒などの定置物から吊り下げるために使われる。キャッチフック５０の他、主枠１にはその両側にサブフック５１Ａ，５１Ｂが取り付けられている。
キャッチフック５０の根元の部分には軸部が形成されており、この軸部が２本の棒状部材２に連結されている。基部１２と同様に、棒状部材２には軸部５０Ａの両端を支持する連結部材３が取り付けられており、キャッチフック５０は根元の軸部を連結部材３を介して主枠１に取り付けられ、主枠１の幅方向に平行な軸を中心として、主枠１に対し揺動可能とされている。サブフック５１Ａ，５１Ｂも、キャッチフック５０と同様に、棒状部材２の両端部にそれぞれ取り付けられた連結部材４Ａ，４Ｂを介して主枠１の幅方向に平行な軸を中心として、主枠１に対し揺動可能とされている。
通常、すべてのハンガー部１０にバランス良く衣類を掛けるようにすれば、中央のキャッチフック５０のみを物干し棒に掛けて吊り下げても連式ハンガーは棒状部材２をほぼ水平に保って問題なく衣類を干すことができるが、どちらか一方に偏って衣類を掛けてしまうと、棒状部材２が衣類を集めて掛けた方を下に向けて傾いてしまい、衣類どうしが近づいてしまうので風通しが悪くなって乾き難くなる。そこで、そのような場合にはサブフック５１Ａ，５１Ｂを両方とも物干し棒に掛けて吊り下げれば、棒状部材２をほぼ水平に保つことができ問題なく衣類を干すことができる。
また、未使用時には上記のようにしてすべてのハンガー部１０を折畳み、ハンガーの方の部分のかさばりを解消することができるので、連式ハンガーを小さいスペースにでも収納することができる。それ以外にも、サブフック５１Ａ，５１Ｂのどちらか一方を物干し棒に掛けておけば、スペースを占有しないので他の洗濯物を物干し棒に干す際も邪魔にならない。
【００３０】
上記のように構成された連式ハンガーによれば、複数のハンガー部の各々に衣類を掛けて干し、それらが乾いて取り込めるようになった状態で、ユーザがツマミ３２Ａ，３２Ｂを操作して複数のハンガー部１０の各々に上記のような一連の動作を行わせることで、各々のハンガー部１０に掛けた衣類が、先端を下に向けた一対のバー１１Ａ，１１Ｂからすべり落ちる。そこで、連式ハンガーの下にカゴなど置いておけば、ハンガー部１０をひとつひとつ折り畳む手間もなく、衣類を一度にカゴの中に入れることができる。
【００３１】
本発明に係る連式ハンガーによれば、干した衣類を取り外す際の作業性に優れるので、洗濯物を取り込む際の手間を省くことができる。また、未使用時に上記の操作を行えば、ハンガー部の肩の部分のかさばりを解消することができ、連式ハンガーそのものの収納のし易さが向上する。
【００３２】
なお、上記実施形態では、バー１１Ａ，１１Ｂの基端に突起部１７Ａ，１７Ｂを形成し、ロッカーアーム１４Ａ，１４Ｂの下端（一端）に凹部１６Ａ，１６Ｂを形成したが、バー１１Ａ，１１Ｂの基端に凹部１６Ａ，１６Ｂを形成し、ロッカーアーム１４Ａ，１４Ｂの下端（一端）に突起部１７Ａ，１７Ｂを形成してもよい。
【産業上の利用可能性】
【００３３】
本発明は、複数のハンガー部に掛けられた衣類を簡単な操作で一度に取り外すことを可能にする連式ハンガーに関する。本発明によれば、洗濯物を取り込む際の手間を省くことができる。
【符号の説明】
【００３４】
１  主枠
２  棒状部材
２Ａ，２Ｂ，３，４Ａ，４Ｂ  連結部材
１０  ハンガー部
１１Ａ，１１Ｂ  バー
１２  基部
１２Ａ，１２Ｂ  サポート片
１３  係止部
１４Ａ，１４Ｂ  ロッカーアーム
１４Ｃ  中央部
１４Ｄ  連結部
１５Ａ，１５Ｂ  第一の小突起
１６Ａ，１６Ｂ  凹部
１７Ａ，１７Ｂ  突起部
１８Ａ，１８Ｂ  舌片
１９Ａ，１９Ｂ  第二の小突起
２０Ａ，２０Ｂ  第三の小突起
２１Ａ，２１Ｂ  軸
２２Ａ，２２Ｂ  小孔
３０  作動部
３１Ａ，３１Ｂ  カム部材
３２Ａ，３２Ｂ  ツマミ
５０  キャッチフック
５０Ａ  軸部
５１Ａ，５１Ｂ  サブフック
【図１】
2017184786.tif 000003
【図２】
2017184786.tif 000004
【図３】
2017184786.tif 000005
【図４】
2017184786.tif 000006